【手続補正書】
【提出日】平成25年3月25日(2013.3.25)
【手続補正１】
【補正対象書類名】明細書
【補正対象項目名】０１３４
【補正方法】変更
【補正の内容】
【０１３４】
本明細書で引用した特許、特許文書、及び刊行物の全ての開示内容は、それぞれが個々に援用された場合と同様に、その全内容が参照によって援用される。本発明の範囲及び趣旨から逸脱しない本発明の様々な変更や改変は、当業者には明らかとなるであろう。本発明は、本明細書で述べる例示的な実施形態及び実施例によって不当に限定されるものではないこと、また、こうした実施例及び実施形態は、本明細書において以下に記述する特許請求の範囲によってのみ限定されると意図する本発明の範囲に関する例示のためにのみ提示されることを理解すべきである。本発明の実施態様の一部を以下の項目１−５１に列記する。
［１］
熱可塑性組成物であって、
ａ）熱可塑性ポリオレフィンポリマーと、
ｂ）
（ｉ）スルフェート、
（ｉｉ）スルホネート、
（ｉｉｉ）スルタイン、
（ｉｖ）ホスフェート、及び
（ｖ）これらの組み合わせ、
からなる群から選択される少なくとも１種のイオン性界面活性剤と、
ｃ）
（ｉ）５〜８０重量パーセントのポリオキシアルキレンを含有する少なくとも１種の非イオン性でフッ素化されていないポリオキシアルキレン基含有界面活性剤、
（ｉｉ）少なくとも１種の非イオン性フルオロケミカル界面活性剤、及び
（ｉｉｉ）これらの組み合わせ、
からなる群から選択される少なくとも１種の非イオン性の第二の界面活性剤と、
を含み、前記界面活性剤（ｂ）と（ｃ）の混合物が、安定で耐久性のある親水性を付与するのに十分な量で前記組成物中に存在する、熱可塑性組成物。
［２］
前記熱可塑性ポリオレフィンポリマーが、８個以下の炭素原子を有するモノマーから誘導される、項目１に記載の組成物。
［３］
前記熱可塑性ポリオレフィンポリマーがポリアルファオレフィンである、項目１又は２に記載の組成物。
［４］
前記熱可塑性ポリオレフィンポリマーがポリプロピレンを含む、項目１に記載の組成物。
［５］
前記イオン性界面活性剤が、Ｃ７〜Ｃ３０分枝鎖又は直鎖アルキル基、Ｃ７〜Ｃ３０分枝鎖又は直鎖アルキレン基及びＣ１２〜Ｃ３０アラルキル基からなる群から選択される少なくとも１個の非極性基を含む、項目１に記載の組成物。
［６］
前記非イオン性でフッ素化されていないポリオキシエチレン基含有界面活性剤が、１０〜６０重量パーセントのポリオキシエチレンを含有する、項目１に記載の組成物。
［７］
前記非イオン性でフッ素化されていない界面活性剤が、６〜３０個の炭素原子を有する少なくとも１個の疎水基を有する、項目１に記載の組成物。
［８］
前記イオン性界面活性剤が前記組成物の０．２５〜８重量パーセントで存在する、項目１に記載の組成物。
［９］
前記イオン性界面活性剤が前記組成物の０．５〜４重量パーセントで存在する、項目１に記載の組成物。
［１０］
前記イオン性界面活性剤が前記組成物の０．７５〜２重量パーセントで存在する、項目１に記載の組成物。
［１１］
前記非イオン性の第二の界面活性剤が前記組成物の０．２５〜８重量パーセントで存在する、項目１に記載の組成物。
［１２］
前記非イオン性の第二の界面活性剤が前記組成物の０．５〜４重量パーセントで存在する、項目１に記載の組成物。
［１３］
前記非イオン性の第二の界面活性剤が前記組成物の０．７５〜２重量パーセントで存在する、項目１に記載の組成物。
［１４］
前記組成物がペルフルオロ化された界面活性剤を本質的に含まない、項目１に記載の組成物。
［１５］
抗微生物成分を更に含む、項目１〜１４のいずれか一項に記載の組成物。
［１６］
前記組成物が生体適合性である、項目１〜１５のいずれか一項に記載の組成物。
［１７］
前記組成物が溶融加工可能である、項目１〜１６のいずれか一項に記載の組成物。
［１８］
前記組成物がソルベントキャスト又はソルベントスピンされている、項目１〜１７に記載の組成物。
［１９］
成形ポリマー物品、ポリマーシート、ポリマー繊維、織布ウェブ、不織布ウェブ、多孔質膜、ポリマーフォーム、加えて層状組成物、例えば、熱積層体又は接着積層体、及びこれらの組み合わせから選択される、項目１〜１８のいずれか一項に記載の組成物を含む物品。
［２０］
前記不織布ウェブが、スパンボンドウェブ、ブローンマイクロファイバーウェブ、又は水流交絡ウェブからなる群から選択される、項目１９に記載の物品。
［２１］
項目１に記載の組成物を含む外科用ドレープ。
［２２］
項目１に記載の組成物を含む外科用ガウン。
［２３］
項目１に記載の組成物を含む創傷接触材料。
［２４］
項目１〜４のいずれか一項に記載の組成物を含むおむつ、又は女性用衛生パッドなどの個人衛生物品。
［２５］
項目１に記載の組成物から作製された耐久性のある親水性フォームを含む物品。
［２６］
項目１に記載の組成物から作製された耐久性のある親水性フィルムを含む物品。
［２７］
項目１に記載の組成物から作製された耐久性のある親水性の織布又は不織布繊維又はウェブを含む物品。
［２８］
前記物品が、前記物品中で水性媒体吸収性構造として機能する本発明の布地を含む医療用ドレープ、濾材、医療用拭き取り用品、工業用拭き取り用品、又は、電池セパレータである、項目２７に記載の物品。
［２９］
前記ウェブが、見かけの表面エネルギー試験により試験した際に、６０ダイン／ｃｍ超の見かけの表面エネルギーを有する、項目２７に記載の布地を含む物品。
［３０］
項目１〜２９のいずれか一項に記載の組成物を含む物品であって、前記物品が水性媒体不透過性バッキングシートを備える、物品。
［３１］
前記物品が水性媒体不透過性バッキングシート、水性媒体透過性トップシート、及び、それらの間に並置された項目１に記載の組成物から作製される水性液体吸収性（すなわち、親水性）層を更に備える、項目２７に記載の物品。
［３２］
前記物品が、使い捨ておむつ、拭き取り用品、タオル、生理用ナプキン、電池セパレータ又は失禁パッドである、項目２７に記載の物品。
［３３］
少なくとも４個の炭化水素を有するモノマーから誘導される親水性増強ポリオレフィンを更に含む、項目１に記載の組成物。
［３４］
親水性増強ポリオレフィンを更に含み、前記親水性増強ポリオレフィンが前記熱可塑性ポリオレフィンポリマーの分子量未満の分子量を有する、項目１に記載の組成物。
［３５］
前記親水性増強ポリオレフィンがポリアルファオレフィンである、項目３３又は３４に記載の組成物。
［３６］
前記親水性増強ポリオレフィンがポリブチレンである、項目３５に記載の組成物。
［３７］
前記親水性増強ポリオレフィンが約２〜２５重量％の濃度で存在する、項目３３〜３６のいずれか一項に記載の組成物。
［３８］
耐久性のある親水性組成物の製造方法であって、
少なくとも１種の熱可塑性ポリオレフィンポリマーを供給することと、
（ｉ）スルフェート、
（ｉｉ）スルホネート、
（ｉｉｉ）スルタイン、
（ｉｖ）ホスフェート、及び
（ｖ）これらの組み合わせ、
からなる群から選択される少なくとも１種の界面活性剤を供給することと、
（ｉ）５〜８０重量パーセントのポリオキシエチレンを含有する少なくとも１種の非イオン性でフッ素化されていないポリオキシエチレン基含有界面活性剤、
（ｉｉ）少なくとも１種の非イオン性フルオロケミカル界面活性剤、
（ｉｉｉ）及びこれらの組み合わせ、
からなる群から選択される少なくとも１種の非イオン性の第二の界面活性剤を供給することと、
溶融押出成形により繊維を形成することと、を含む、方法。
［３９］
耐久性のある親水性組成物の製造方法であって、
溶媒可溶性又は分散性である少なくとも１種の熱可塑性ポリマーを供給することと、
（ｉ）スルフェート、
（ｉｉ）スルホネート、
（ｉｉｉ）スルタイン、
（ｉｖ）ホスフェート、及び
（ｖ）これらの組み合わせ、
からなる群から選択される少なくとも１種の界面活性剤を供給することと、
（ｉ）５〜８０重量パーセントのポリオキシエチレンを含有する少なくとも１種の非イオン性でフッ素化されていないポリオキシエチレン基含有界面活性剤、
（ｉｉ）少なくとも１種の非イオン性フルオロケミカル界面活性剤、
（ｉｉｉ）及びこれらの組み合わせ、
からなる群から選択される少なくとも１種の非イオン性の第二の界面活性剤を供給することと、
前記界面活性剤を前記ポリマーに組み込んで組成物を形成することと、
前記組成物をフィルム又はフォームにソルベントキャストすることと、を含む、方法。
［４０］
耐久性のある親水性組成物の製造方法であって、
溶媒可溶性又は分散性である少なくとも１種の熱可塑性ポリマーを供給することと、
（ｉ）スルフェート、
（ｉｉ）スルホネート、
（ｉｉｉ）スルタイン、
（ｉｖ）ホスフェート界面活性剤、及び
（ｖ）これらの組み合わせ、
からなる群から選択される少なくとも１種の界面活性剤を供給することと、
（ｉ）５〜８０重量パーセントのポリオキシエチレンを含有する少なくとも１種の非イオン性でフッ素化されていないポリオキシエチレン基含有界面活性剤、
（ｉｉ）少なくとも１種の非イオン性フルオロケミカル界面活性剤、
（ｉｉｉ）及びこれらの組み合わせ、
からなる群から選択される少なくとも１種の非イオン性の第二の界面活性剤を供給することと、
前記熱可塑性界面活性剤をポリマーと組み込むことと、
前記組成物をソルベントスピンして１つ以上の繊維を形成することと、を含む方法。
［４１］
前記非イオン性でフッ素化されていないポリオキシエチレン基含有界面活性剤が、１０〜６０重量パーセントのポリオキシエチレンを含有する、項目３８〜４０のいずれか一項に記載の方法。
［４２］
前記ポリオレフィンが８個以下の炭素原子を有するモノマーから誘導される、項目３８〜４０のいずれか一項に記載の方法。
［４３］
前記ポリオレフィンがポリアルファオレフィンである、項目３８〜４０のいずれか一項に記載の方法。
［４４］
前記ポリオレフィンがポリプロピレンである、項目３８〜４０のいずれか一項に記載の方法。
［４５］
前記組成物が、ペルフルオロ化された界面活性剤を本質的に含まない、項目３８〜４０のいずれか一項に記載の方法。
［４６］
前記ポリマーと前記イオン性界面活性剤と前記非イオン性界面活性剤をブレンドすることが、前記ポリマーと前記イオン性及び非イオン性界面活性剤とを共押出することを含む、項目３８〜４０のいずれか一項に記載の方法。
［４７］
追加の熱可塑性ポリマーをブレンドする後続工程を更に含む、項目３８〜４０のいずれか一項に記載の方法。
［４８］
前記ウェブを後加熱することを更に含む、項目３８〜４０のいずれか一項に記載の方法。
［４９］
前記ウェブを後加熱する工程が、５０℃〜１２０℃の温度にて行われる、項目４８に記載の方法。
［５０］
前記押出成形工程における前記加工温度が約３００℃よりも低い、項目３８〜４０のいずれか一項に記載の方法。
［５１］
親水性増強ポリマーが、前記イオン性及び非イオン性界面活性剤とブレンドされる、項目３８〜４０のいずれか一項に記載の方法。
【手続補正２】
【補正対象書類名】特許請求の範囲
【補正対象項目名】全文
【補正方法】変更
【補正の内容】
【特許請求の範囲】
【請求項１】
熱可塑性組成物であって、
ａ）熱可塑性ポリオレフィンポリマーと、
ｂ）
（ｉ）スルフェート、
（ｉｉ）スルホネート、
（ｉｉｉ）スルタイン、
（ｉｖ）ホスフェート、及び
（ｖ）これらの組み合わせ、
からなる群から選択される少なくとも１種のイオン性界面活性剤と、
ｃ）
（ｉ）５〜８０重量パーセントのポリオキシアルキレンを含有する少なくとも１種の非イオン性でフッ素化されていないポリオキシアルキレン基含有界面活性剤、
（ｉｉ）少なくとも１種の非イオン性フルオロケミカル界面活性剤、及び
（ｉｉｉ）これらの組み合わせ、
からなる群から選択される少なくとも１種の非イオン性の第二の界面活性剤と、
を含み、前記界面活性剤（ｂ）と（ｃ）の混合物が、安定で耐久性のある親水性を付与するのに十分な量で前記組成物中に存在する、熱可塑性組成物。
【請求項２】
前記イオン性界面活性剤が前記組成物の０．２５〜８重量パーセントで存在し、前記非イオン性の第二の界面活性剤が前記組成物の０．２５〜８重量パーセントで存在する、請求項１に記載の組成物。
【請求項３】
前記熱可塑性ポリオレフィンポリマーがポリプロピレンを含む、請求項２に記載の組成物。
【請求項４】
少なくとも４個の炭化水素を有するモノマーから誘導される親水性増強ポリオレフィンを更に含み、前記親水性増強ポリオレフィンが前記熱可塑性ポリオレフィンポリマーの分子量未満の分子量を有する、請求項２に記載の組成物。
【請求項５】
抗微生物成分を更に含む、請求項２に記載の組成物。
【請求項６】
前記組成物が溶融加工可能である、請求項１〜５のいずれか一項に記載の組成物。
【請求項７】
成形ポリマー物品、ポリマーシート、ポリマー繊維、織布ウェブ、不織布ウェブ、多孔質膜、ポリマーフォーム、及びこれらの組み合わせから選択される、請求項１〜６のいずれか一項に記載の組成物を含む物品。
【請求項８】
請求項１〜６のいずれか一項に記載の組成物から作製された耐久性のある親水性層を含む物品であって、前記層がフォーム、フィルム、織布繊維若しくは織布ウェブ、又は不織布繊維若しくは不織布ウェブである物品。
【請求項９】
前記物品が水性媒体不透過性バッキングシート、水性媒体透過性トップシート、及び、それらの間に並置された前記耐久性のある親水性層を含む水性液体吸収性層を備える、請求項８に記載の物品。
【請求項１０】
耐久性のある親水性物品の製造方法であって、
ａ）少なくとも１種の熱可塑性ポリオレフィンポリマーと、
ｂ）
（ｉ）スルフェート、
（ｉｉ）スルホネート、
（ｉｉｉ）スルタイン、
（ｉｖ）ホスフェート、及び
（ｖ）これらの組み合わせ、
からなる群から選択される少なくとも１種の界面活性剤と、
ｃ）
（ｉ）５〜８０重量パーセントのポリオキシエチレンを含有する少なくとも１種の非イオン性でフッ素化されていないポリオキシエチレン基含有界面活性剤、
（ｉｉ）少なくとも１種の非イオン性フルオロケミカル界面活性剤、及び
（ｉｉｉ）これらの組み合わせ、
からなる群から選択される少なくとも１種の非イオン性の第二の界面活性剤と、をブレンドして、耐久性のある親水性組成物を形成することと、
前記耐久性のある親水性組成物から前記耐久性のある親水性物品を形成することと、を含む、方法。
【請求項１１】
前記耐久性のある親水性物品を形成することが、前記耐久性のある親水性組成物を溶融押出成形することを含む、請求項１０に記載の方法。